(57)【要約】      （修正有）【課題】複数の心電計で心電図を取得する際の作業環境を整え、煩雑な状態を解消し得る心電図用の分配装置及び分配器を提供する。【解決手段】複数の心電計Ｅに心電図Ｅｃ用の電気信号を分配する分配装置１であって、複数の電極４と、複数の電極４のそれぞれに接続された複数の入力側電気コード５と、複数の入力側電気コード５が接続される分配器２と、を備え、分配器２は、複数の入力側電気コード５それぞれに電気的に接続される複数の入力側端子部８と、複数の入力側端子部８に電気的に接続された複数の出力側端子部９と、を備え、複数の出力側端子部９は、複数の心電計Ｅに対応する複数の端子群に分けられており、複数の入力側端子部８のそれぞれは、複数の端子群のそれぞれに電気的に接続されている。【選択図】図２
0003228648.tif 000002
【実用新案登録請求の範囲】
【請求項１】
複数の心電計に心電図用の電気信号を分配する分配装置であって、
複数の電極と、
前記複数の電極のそれぞれに接続された複数の電気コードと、
前記複数の電気コードが接続される分配器と、を備え、
前記分配器は、
前記複数の電気コードそれぞれに電気的に接続される複数の入力側端子部と、
前記複数の入力側端子部に電気的に接続された複数の出力側端子部と、を備え、
前記複数の出力側端子部は、前記複数の心電計に対応する複数の端子群に分けられおり、
前記複数の入力側端子部のそれぞれは、前記複数の端子群のそれぞれに電気的に接続されている、分配装置。
【請求項２】
前記複数の電極は、複数の四肢電極と、複数の胸部電極と、一の前記四肢電極で得られる基準電位を補助する補助電位を得るための一または複数の補助基準電極と、を備えている請求項１記載の分配装置。
【請求項３】
前記複数の入力側端子部のうち、前記補助基準電極に接続される補助端子部は、前記複数の端子群のそれぞれに電気的に接続されている、請求項２記載の分配装置。
【請求項４】
前記分配器は、前記入力側端子部及び前記出力側端子部が設けられた筐体と、前記筐体内に収容され、前記入力側端子部と前記出力側端子部とを電気的に接続する回路基板とを備えている請求項１〜３のいずれか一項記載の分配装置。
【請求項５】
前記筐体には、前記複数の入力側端子部のそれぞれを区別する識別情報が表示されている、請求項４記載の分配装置。
【請求項６】
前記識別情報は、文字、記号、色、模様の少なくとも一種である、請求項５記載の分配装置。
【請求項７】
前記識別情報は、少なくとも色を含み、
前記複数の電気コードは、接続予定の前記入力側端子部を他の前記入力側端子部から区別する色と同色である、請求項６記載の分配装置。
【請求項８】
前記筐体には、前記複数の出力側端子部のそれぞれと前記入力側端子部との接続関係を示す接続情報が表示されている、請求項４〜７のいずれか一項記載の分配装置。
【請求項９】
前記回路基板に実装された電気回路は、前記出力側端子部からの電流の逆流によって前記電極間に高電流が流れるのを防止する逆流規制部を備えている、請求項４〜８のいずれか一項記載の分配装置。
【請求項１０】
前記逆流規制部は、前記電極間を定電圧に維持する定電圧ダイオードを備えている、請求項９記載の分配装置。
【請求項１１】
複数の心電計に心電図用の電気信号を分配する分配器であって、
電気コードを介して複数の電極それぞれに電気的に接続される複数の入力側端子部と、
前記複数の入力側端子部に電気的に接続された複数の出力側端子部と、を備え、
前記複数の出力側端子部は、前記複数の心電計に対応する複数の端子群に分けられおり、
前記複数の入力側端子部のそれぞれは、前記複数の端子群のそれぞれに電気的に接続されている、分配器。
【請求項１２】
前記複数の電極は、複数の四肢電極と、複数の胸部電極と、一の前記四肢電極で得られる基準電位を補助する補助電位を得るための一または複数の補助基準電極であり、
前記複数の入力側端子部のうち、前記補助基準電極に接続される補助端子部は、前記複数の端子群のそれぞれに電気的に接続されている、請求項１１記載の分配器。
【請求項１３】
前記入力側端子部及び前記出力側端子部が設けられた筐体と、前記筐体内に収容され、前記入力側端子部と前記出力側端子部とを電気的に接続する回路基板とを備えている請求項１１または１２記載の分配器。
【考案の詳細な説明】
【技術分野】
【０００１】
複数の心電計に心電図用の電気信号を分配する分配装置及び分配器に関する。
【背景技術】
【０００２】
心電図を表示し、または印刷する各種装置が知られている（特許文献１、特許文献２参照）。この種の装置には、複数の電極に接続された複数の電気コードが接続されている。例えば、標準１２誘導心電図の場合、電極として、左右の手足（計４か所）に装着される四肢電極、胸部の六か所に装着される胸部電極を使用する。例えば、四肢電極のうち、右足に装着した電極が基準となり、各電極との間での電位差を取得することで心電図を得ることができる。
【先行技術文献】
【特許文献】
【０００３】
【特許文献１】実開平１−８４６０８号公報
【特許文献２】特表２０１９−５３４７３５号公報
【考案の概要】
【考案が解決しようとする課題】
【０００４】
患者などの被検体に対して施術や検査等を行う際、心電計としての機能を有する複数の装置において、それぞれ心電図を取得する場合がある。この場合、各装置は独立して被検体から電気信号を取得する。したがって、各装置は、それぞれ被検体に装着される複数の電極が必要になり、さらに、複数の電極に接続された電気コードが入り組んで存在することになるため、施術や検査等を行う作業環境が非常に煩雑になり易かった。
【０００５】
本考案は、複数の心電計で心電図を取得する際の作業環境を整え、煩雑な状態を解消し得る心電図用の分配装置及び分配器を提供することを目的とする。
【課題を解決するための手段】
【０００６】
本考案は、複数の心電計に心電図用の電気信号を分配する分配装置であって、複数の電極と、複数の電極のそれぞれに接続された複数の電気コードと、複数の電気コードが接続される分配器と、を備え、分配器は、複数の電気コードそれぞれに電気的に接続される複数の入力側端子部と、複数の入力側端子部に電気的に接続された複数の出力側端子部と、を備え、複数の出力側端子部は、複数の心電計に対応する複数の端子群に分けられおり、複数の入力側端子部のそれぞれは、複数の端子群のそれぞれに電気的に接続されている。
【０００７】
この分配装置の分配器は、複数の心電計に対応する複数の端子群に分けられた複数の出力側端子部を備えており、複数の入力側端子部のそれぞれは、複数の端子群のそれぞれに電気的に接続されている。複数の端子群は、それぞれ異なる心電計に対応している。したがって、共通の電極から得られた心電図用の電気信号を複数の異なる心電計に分配でき、電極や電気コードの数を減らしてシンプル化を図ることができる。その結果、上記の分配装置または分配器によれば、複数の心電計で心電図を取得する際の作業環境を整え、煩雑な状態を解消し得る。
【０００８】
複数の電極は、複数の四肢電極と、複数の胸部電極と、一の四肢電極で得られる基準電位を補助する補助電位を得るための一または複数の補助基準電極と、を備えていてもよい。共通の電極から得られる電気信号を複数の心電計に分配しようとすると、基準電位からの電位差の出力が不安定になる可能性がある。しかしながら、一または複数の補助基準電極を備えることで、基準電位を補助する補助電位を得ることができ、複数の心電計で取得される心電図の信頼性を高めるのに有利になる。
【０００９】
複数の入力側端子部のうち、補助基準電極に接続される補助端子部は、複数の端子群のそれぞれに電気的に接続されていてもよい。一の端子群に属する複数の出力端子部は、出力側電気コードを介して一の心電計に接続されることになる。補助端子部が、一の端子群のみではなく、複数の端子群のそれぞれに電気的に接続されているので、一の心電計だけではなく、複数の心電計で取得される心電図の信頼性を高めるのに有利になる。
【００１０】
分配器は、入力側端子部及び出力側端子部が設けられた筐体と、筐体内に収容され、入力側端子部と出力側端子部とを電気的に接続する回路基板とを備えていてもよい。回路基板を介し、入力側端子部と出力側端子部とを確実に、且つ安定した状態で電気的に接続できる。
【００１１】
筐体には、複数の入力側端子部のそれぞれを区別する識別情報が表示されていてもよい。複数の電極は、それぞれ役割を有しており、複数の電極を接続する入力側端子部を、視覚的に区別可能になるため、取り扱い性が向上する。
【００１２】
識別情報は、文字、記号、色、模様の少なくとも一種であってもよい。文字、記号、色、模様の少なくとも一種であれば、視覚により容易に区別でき、さらに、複数種の組み合わせ、例えば、文字と色との組み合わせによれば、さらに容易に区別できる。
【００１３】
識別情報は、少なくとも色を含み、複数の電気コードは、接続予定の入力側端子部を他の入力側端子部から区別する色と同色であってもよい。電気コードを入力側端子部に接続する際、接続予定の入力側端子部が明確になり、取り扱い性が向上する。
【００１４】
筐体には、複数の出力側端子部のそれぞれと入力側端子部との接続関係を示す接続情報が表示されていてもよい。複数の出力側端子部と入力側端子部との接続関係を視認できるようになるため、取り扱い性が向上する。
【００１５】
回路基板に実装された電気回路は、出力側端子部からの電流の逆流によって電極間に高電流が流れるのを防止する逆流規制部を備えていてもよい。逆流規制部を備えることで、電極間に高電圧がかかるのを防止できる。また、電極間を定電圧に維持する定電圧ダイオードを備えた逆流規制部にすることで、簡易な構成で逆流規制部を実現できる。
【００１６】
また、本考案は、複数の心電計に心電図用の電気信号を分配する分配器であって、電気コードを介して複数の電極それぞれに電気的に接続される複数の入力側端子部と、複数の入力側端子部に電気的に接続された複数の出力側端子部と、を備え、複数の出力側端子部は、複数の心電計に対応する複数の端子群に分けられており、複数の入力側端子部のそれぞれは、複数の端子群のそれぞれに電気的に接続されている。
【００１７】
この分配器によれば、複数の心電計で心電図を取得する際の作業環境を整え、煩雑な状態を解消し得る。
【００１８】
また、複数の電極は、複数の四肢電極と、複数の胸部電極と、一の四肢電極で得られる基準電位を補助する補助電位を得るための一または複数の補助基準電極であり、複数の入力側端子部のうち、補助基準電極に接続される補助端子部は、複数の端子群のそれぞれに電気的に接続されていてもよい。一または複数の補助基準電極によって基準電位を補助することで安定した電位差を取得でき、複数の心電計で取得される心電図の信頼性を高めるのに有利になる。
【００１９】
また、入力側端子部及び出力側端子部が設けられた筐体と、筐体内に収容され、入力側端子部と出力側端子部とを電気的に接続する回路基板とを備えていてもよい。回路基板を介し、入力側端子部と出力側端子部とを確実に、且つ安定した状態で電気的に接続できる。
【考案の効果】
【００２０】
本考案によれば、複数の心電計で心電図を取得する際の作業環境を整え、煩雑な状態を解消し得る。
【図面の簡単な説明】
【００２１】
【図１】図１は、被験者に複数の電極を装着し、複数の電極から得た電気信号を複数の心電計に分配している状態の分配装置を模式的に示す説明図である。
【図２】図２は、分配装置を主に示す斜視図である。
【図３】図３は、分配器の平面図である。
【図４】図４は、回路基板に実装された電気回路を模式的に示す概略図である。
【考案を実施するための形態】
【００２２】
以下、図面を参照しつつ本考案に係る分配装置の実施形態について詳細に説明する。
【００２３】
まず、心電図Ｅｃを取得する心電計Ｅについて説明する。本実施形態において想定している心電計Ｅ（ＥＣＧ装置ともいう）は、心電図Ｅｃを取得する機能を有する装置を広く含み、移動可能な小型の装置から所定位置に設置された大型の装置まで広く含まれる。また、心電計Ｅにおける心電図Ｅｃの出力方法は２次元のモニター表示や印刷に限定されず、３Ｄ表示などであってもよい。例えば、心電計Ｅは、体表心電図をモニターし、印刷する基本的な心電計Ｅに限定されず、体表心電図・心内心電図・血圧・酸素飽和度をモニターするポリグラフ、心内に留置したカテーテルから心内の電気的な流れを３Ｄ画像で表示する装置、体表心電図と心内に留置したカテーテルの電位を表示する各種の電気生理学的検査装置などであってもよい。
【００２４】
分配装置１は、検査の受診者や患者などの被検者Ｈから得た心電図Ｅｃ用の電気信号を複数の心電計Ｅに分配する分配器２を備えている。分配器２には、複数の出力側電気コード３が接続されている。出力側電気コード３としては、カーボン電線を使用することができる。複数の出力側電気コード３は、それぞれ複数の心電計Ｅに接続されている。なお、出力側電気コード３としては、電線を樹脂等で被覆したビニールコードを使用してもよい。
【００２５】
本実施形態では、１０本の出力側電気コード３が１ユニットとして、１台の心電計Ｅに接続されている。なお、図１では、便宜的に５本の出力側電気コード３が１ユニットとして、１台の心電計Ｅに接続されているように記載されている。また、本実施形態では、分配器２から４台の心電計Ｅに電気信号が分配される態様を例示するが、心電計Ｅは２台、３台、あるいは５台以上であってもよい。
【００２６】
図１、及び図２に示されるように、分配装置１は、被検者Ｈに装着される複数の電極４と、各電極４に接続された複数の入力側電気コード５（電気コードの一例）と、を備えている。入力側電気コード５には、例えば、カーボン電線を使用することができる。入力側電気コード５の一端には電極４が通電可能（電気的）に接続されており、他端には分配器２に接続するためのコネクタ５１が取り付けられている。電極４及び入力側電気コード５は使い捨てタイプであっても、再利用可能なタイプであってもよい。また、入力側電気コード５としては、電線を樹脂等で被覆したビニールコードを使用してもよい。
【００２７】
複数の電極４は、右手首、左手首、左足首、及び右足首に装着される四肢電極４ａ，４ｂ，４ｃ，４ｄと、胸部の６箇所に装着される胸部電極４ｘと、を備えている。四肢電極４ａ〜４ｄのうち、右足首に装着される電極は、アースとなる電極であり、基準電位を得るために装着される基準電極４ｃ（参照電極ともいう）である。また、複数の電極４は、例えば、追加として右足に装着される補助基準電極４ｅを備えている。補助基準電極４ｅは、基準電極４ｃで得られる基準電位を補助する補助電位を得る。複数の電極４には、被検者Ｈの所定部位に装着するための構造、例えば、粘着部が設けられていてもよい。
【００２８】
分配器２は、平面視で矩形の筐体６と、筐体６内に収容された回路基板７とを備えている。筐体６には、複数の入力側電気コード５が接続される複数の入力側端子部８と、複数の出力側電気コード３が接続される複数の出力側端子部９とが設けられている。回路基板７上には、入力側端子部８と出力側端子部９とを電気的に接続する電気回路１１（図４参照）が実装されている。
【００２９】
図２および図３に示されるように、複数の入力側端子部８は、縦一列に並んで配置されており、電極４の数に合せて１１個の入力側端子部８が設けられている。一列に並ぶ複数の１１個の入力側端子部８のうち、端の１個の入力側端子部８は、他の１０個の入力側端子部８に比べて離れて配置されている。この端の１個の入力側端子部８は補助基準電極４ｅに接続される補助端子部８ｘである。また、補助端子部８ｘの隣の入力側端子部８は、基準電極４ｃに接続される基準端子部８ａである。
【００３０】
複数の出力側端子部９は、接続対象となる心電計Ｅに合わせ、四つ（複数）の端子群１０に分けて配置されている。一の端子群１０は、縦に並ぶ１０個の出力側端子部９を備え、四列の端子群１０となるように配置されている。各列の端子群１０は、それぞれ一の心電計Ｅに接続される。
【００３１】
分配器２の筐体６は、設置台等に載置される底部６１と、底部６１を囲む側壁部６２と、底部６１に対向する蓋部６３とを備えている。蓋部６３は、底部６１に対向する裏面と、裏面に対して反対側の表面６３ａとを備えており、裏面には、回路基板７が取り付けられている。蓋部６３の表面６３ａには、複数の入力側端子部８のそれぞれを区別する識別情報が表示されている。
【００３２】
図３に示されるように、蓋部６３には、識別情報の一例として、文字である「ＲＬ」、「ＲＡ」、「Ｖ１」〜「Ｖ６」、「ＬＡ」、「ＬＬ」、及び「ＲＬ  Ｒｅｆ」が表示されている。ここで、「ＲＬ」は、右足に装着される四肢電極（基準電極４ｃ）に接続される基準端子部８ａであることを意味する。また、「ＲＡ」は右手に装着される四肢電極４ａに接続される入力側端子部８、「ＬＡ」は左手に装着される四肢電極４ｂに接続される入力側端子部８、「ＬＬ」は左足に装着される四肢電極４ｄに接続される入力側端子部８を意味する。また、「ＲＬ  Ｒｅｆ」は右足に装着される補助基準電極４ｅに接続される補助端子部８ｘを意味する。また、「Ｖ１」〜「Ｖ６」は、それぞれ胸部電極４ｘに接続される入力側端子部８であることを意味する。
【００３３】
さらに蓋部６３には、識別情報の他の例として、異なる色が表示されている。具体的には、補助端子部８ｘを除く入力側端子部８は、互いに同じ外形の帯状模様６４の端部に配置されている。複数の帯状模様６４は、少なくとも隣り合う帯状模様６４同士の色が異なり、互いに区別可能になっている。図３では、この色の違いをハッチング等の模様の違いで表現している。また、補助端子部８ｘは、帯状模様６４の途中が斜めに切断されたような模様６５内に配置されており、他の帯状模様６４とは区別されている。なお、本実施形態の識別情報は文字と色の組み合わせであるが、文字、記号、色、模様などの単体（一種）であってよく、さらに、それらの組み合わせであってもよい。
【００３４】
また、帯状模様６４は、複数の出力側端子部９のそれぞれと入力側端子部８との接続関係を示す接続情報としても機能している。例えば、基準電極４ｃに接続される基準端子部８ａは、「ＲＬ」の文字が付された帯状模様６４内に配置されており、この帯状模様６４は、途中で斜めに屈曲しながら延在し、４個の出力側端子部９まで到達している。この帯状模様６４が到達する４個の出力側端子部９は、全て、共通の基準端子部８ａを介して基準電極４ｃに接続されている。この４個の出力側端子部９は、それぞれ異なる端子群１０に属しており、それぞれ異なる心電計Ｅに接続される。つまり、この一本の帯状模様６４は、基準端子部８ａと、それぞれ異なる心電計Ｅに接続される４個の出力側端子部９との接続関係を示している。同様に、他の帯状模様６４も、複数の出力側端子部９のそれぞれと入力側端子部８との接続関係を示す接続情報としても機能している。
【００３５】
なお、本実施形態に係る入力側電気コード５は色分けされており、それぞれ帯状模様６４の色分けに合わせた配色になっている。例えば、基準電極４ｃに接続された入力側電気コード５の色は、基準端子部８ａが配置された場所の帯状模様６４と同色になっている。つまり、複数の入力側電気コード５は、接続予定の入力側端子部８を他の入力側端子部８から区別する色と同色である。そして、この場合の同色とは、複数の入力側端子部８の識別色（帯状模様６４の色）のうち、視覚的に接続予定の入力側端子部８の識別色（帯状模様６４の色）に最も近い色であることを意味する。
【００３６】
図４に示されるように、複数の入力側端子部８と複数の出力側端子部９とは回路基板７に実装された電気回路１１によって電気的に接続されている。図４は、電気回路１１を模式的に示す図であり、一部の配線を省略して示している。また、図４では、便宜的に抵抗やダイオード等の記号も省略している。例えば、基準端子部８ａは、四つに分岐され、それぞれ出力側端子部９に電気的に接続されている。また、補助基準電極４ｅに接続される補助端子部８ｘは、基準端子部８ａに電気的に接続されており、基準電極４ｃから得られる基準電位を補助している。また、右手に装着される四肢電極４ａに接続される入力側端子部８ｂは、四つに分岐され、それぞれ出力側端子部９に電気的に接続されている。
【００３７】
基準端子部８ａと各出力側端子部９とを接続する導線と、入力側端子部８ｂと各出力側端子部９とを接続する導線との間には、各出力側端子部９からの電流の逆流によって基準電極４ｃと四肢電極４ａとの間に高電流が流れるのを防止する逆流規制部１２が設けられている。逆流規制部１２は、例えば、定電圧ダイオードを備えており、基準電極４ｃと四肢電極４ａとの間を、安全性が保障される定電圧（低電圧）に維持している。定電圧ダイオードとしては、例えば、双方向のツェナーダイオード等を配置することができる。
【００３８】
なお、図４では省略しているが、他の四肢電極４ｂ，４ｄや胸部電極４ｘに接続された各入力側端子部８は、それぞれ、対応する出力側端子部９に電気的に接続されている。そして、基準端子部８ａと各出力側端子部９とを接続する導線と、各入力側端子部８と各出力側端子部９とを接続する導線との間には、上述同様に逆流規制部１２が設けられている。
【００３９】
次に、本実施形態に係る分配装置１の作用、効果について説明する。まず、心電計Ｅに関する一般的な説明として、心臓は収縮、弛緩を繰り返し、その際に生じる電気を測定することで心電図Ｅｃを得ることができる。この心電図Ｅｃの誘導法には双極誘導と単極誘導とがある。標準１２誘導心電図の場合、標準肢誘導、単極肢誘導、単極胸部誘導を測定する。これらを測定するために、複数の電極４を被検者Ｈの所定位置に装着する必要がある。具体的には、四肢電極４ａ〜４ｄは、左右の手首、左右の足首に装着され、補助基準電極４ｅは右足に装着される。また、６個の胸部電極４ｘは心臓を基準とした所定位置に装着される。
【００４０】
分配装置１は、各電極４に接続された入力側電気コード５と、入力側電気コード５が接続される分配器２とを備えている。分配器２は、複数の出力側端子部９を備え、複数の出力側端子部９は、複数の心電計Ｅに対応する複数の端子群１０に分けられている。さらに複数の入力側端子部８のそれぞれは、複数の端子群１０のそれぞれに電気的に接続されている。つまり、分配装置１または分配器２によれば、共通の複数の電極４から得られた電気信号を複数の心電計Ｅに分配でき、電極４や入力側電気コード５の数を減らしてシンプル化を図ることができる。その結果、この分配装置１または分配器２によれば、複数の心電計Ｅで心電図Ｅｃを取得する際の作業環境を整え、煩雑な状態を解消し得る。
【００４１】
また、例えば、共通の電極から得られる電気信号を複数の心電計に分配しようとすると、基準電位からの電位差の出力が不安定になる可能性がある。しかしながら、本実施形態では、補助基準電極４ｅを備えており、補助基準電極４ｅによって基準電位を補助する補助電位を得ることができるので、複数の心電計Ｅで取得される心電図Ｅｃの信頼性を高めるのに有利になる。なお、補助基準電極４ｅは単体に限定されず、複数であってもよい。同様に補助端子部８ｘは単体に限定されず、複数の補助基準電極４ｅに対応する数（複数）であってもよい。
【００４２】
また、本実施形態に係る補助端子部８ｘは、複数の端子群１０のそれぞれに電気的に接続されている。一の端子群１０に属する複数の出力側端子部９は、出力側電気コード３を介して一の心電計Ｅに接続されることになる。補助端子部８ｘが、一の端子群１０のみではなく、複数の端子群１０のそれぞれに電気的に接続されているので、一の心電計Ｅだけではなく、複数の心電計Ｅで取得される心電図Ｅｃの信頼性を高めるのに有利になる。
【００４３】
また、分配器２は筐体６と、筐体６内に収容された回路基板７とを備えており、回路基板７を介し、入力側端子部８と出力側端子部９とを確実に、且つ安定した状態で電気的に接続できる。
【００４４】
また、筐体６には、複数の入力側端子部８のそれぞれを区別する識別情報として文字及び帯状模様６４が表示されている。複数の電極４は、それぞれ役割を有しており、複数の電極４を接続する入力側端子部８を視覚的に区別可能になるため、取り扱い性が向上する。この識別情報は、例えば、文字、記号、色、模様の少なくとも一種であれば、視覚により容易に区別でき、さらに、複数種の組み合わせ、例えば、文字と色との組み合わせによれば、さらに容易に区別できる。
【００４５】
また、帯状模様６４はそれぞれ色分けされており、複数の入力側電気コード５は、接続予定の入力側端子部８を他の入力側端子部８から区別する帯状模様６４の識別色と同色である。その結果、入力側電気コード５を入力側端子部８に接続する際、接続予定の入力側端子部８が明確になり、取り扱い性が向上する。
【００４６】
また、帯状模様６４は、複数の出力側端子部９のそれぞれと入力側端子部８との接続関係を示す接続情報としても機能している。帯状模様６４により、複数の出力側端子部９と入力側端子部８との接続関係を視認できるようになるため、取り扱い性が向上する。
【００４７】
また、本実施形態に係る電気回路１１は逆流規制部１２を備えおり、電極４間に高電圧がかかるのを防止できる。また、電極４間を定電圧に維持する定電圧ダイオードを備えた逆流規制部１２にすることで、簡易な構成で逆流規制部１２を実現できる。
【００４８】
以上、本考案に係る分配装置及び分配器を、実施形態を参照して説明したが、本考案は、これらの実施形態のみに限定されず、他の形態であってもよい。例えば、分配器の筐体の形状は矩形に限定されず、円形等であってもよい。また、電極の数は１０個に限定されず、また、心電計の数も４個に限定されない。なお、基準電極から得られる基準電位が安定していれば、補助基準電極を省略することも可能である。
【符号の説明】
【００４９】
１…分配装置、２…分配器、４…電極、４ａ〜４ｄ…四肢電極、４ｃ…基準電極、４ｘ…胸部電極、４ｅ…補助基準電極、５…入力側電気コード（電気コード）、６…筐体、７…回路基板、８…入力側端子部、８ａ…基準端子部、８ｘ…補助端子部、９…出力側端子部、１０…端子群、１１…電気回路、１２…逆流規制部、６４…帯状模様（識別情報）、Ｅ…心電計、Ｅｃ…心電図、Ｈ…被検者。
【図１】
0003228648.tif 000003
【図２】
0003228648.tif 000004
【図３】
0003228648.tif 000005
【図４】
0003228648.tif 000006